(57)【要約】【課題】ユーザがＤＲの途中経過をリアルタイムで把握することのできる制御装置を提供する。【解決手段】制御装置は、需要家の電力機器を制御する、当該需要家に設置された制御装置であって、需要家における発電量および受電量の少なくとも一方を示す電力量を取得する電力量取得部と、電力量取得部が取得した電力量と、デマンドレスポンスに対して需要家が獲得するインセンティブの条件とに基づいて、デマンドレスポンス実施中に獲得した暫定的なインセンティブである暫定インセンティブを算出するインセンティブ算出部と、インセンティブ算出部が算出した暫定インセンティブを、表示画面に表示する表示制御部と、を備える。【選択図】図３
2019159628.tif 000002
【特許請求の範囲】
【請求項１】
需要家の電力機器を制御する、当該需要家に設置された制御装置であって、
前記需要家における発電量および受電量の少なくとも一方を示す電力量を取得する電力量取得部と、
前記電力量取得部が取得した前記電力量と、デマンドレスポンスに対して前記需要家が獲得するインセンティブの条件とに基づいて、前記デマンドレスポンス実施中に獲得した暫定的なインセンティブである暫定インセンティブを算出するインセンティブ算出部と、
前記インセンティブ算出部が算出した前記暫定インセンティブを、表示画面に表示する表示制御部と、を備える制御装置。
【請求項２】
前記表示制御部は、前記デマンドレスポンスの開始から当該デマンドレスポンス実施途中の現時点までに獲得したインセンティブの時間的な推移を、前記表示画面に表示する、請求項１に記載の制御装置。
【請求項３】
前記インセンティブ算出部は、さらに、前記電力量取得部が取得した前記電力量に基づいて、前記デマンドレスポンスで要請される削減電力についての暫定的な達成率を算出し、
前記表示制御部は、さらに、前記インセンティブ算出部が算出した前記達成率を、前記表示画面に表示する、請求項１または請求項２に記載の制御装置。
【請求項４】
さらに、前記インセンティブの条件を記憶している記憶部を備え、
前記インセンティブ算出部は、前記電力量取得部が取得した前記電力量と、前記記憶部に記憶されている前記条件とに基づいて、前記暫定インセンティブを算出する、請求項１〜請求項３のいずれか１項に記載の制御装置。
【請求項５】
前記インセンティブ算出部は、さらに、実施済みのデマンドレスポンスにおいて獲得済みのインセンティブの統計値を算出し、
前記表示制御部は、さらに、前記インセンティブ算出部が算出した前記統計値を、前記表示画面に表示する、請求項１〜請求項４のいずれか１項に記載の制御装置。
【請求項６】
需要家の電力機器を制御する、当該需要家に設置された制御装置による制御方法であって、
前記需要家における発電量および受電量の少なくとも一方を示す電力量を取得するステップと、
取得された前記電力量と、デマンドレスポンスに対して前記需要家が獲得するインセンティブの条件とに基づいて、前記デマンドレスポンス実施中に獲得した暫定的なインセンティブである暫定インセンティブを算出するステップと、
算出された前記暫定インセンティブを、表示画面に表示するステップと、を含む制御方法。
【請求項７】
コンピュータを、需要家の電力機器を制御する、当該需要家に設置された制御装置として機能させるためのコンピュータプログラムであって、
前記コンピュータを、
前記需要家における発電量および受電量の少なくとも一方を示す電力量を取得する電力量取得部と、
前記電力量取得部が取得した前記電力量と、デマンドレスポンスに対して前記需要家が獲得するインセンティブの条件とに基づいて、前記デマンドレスポンス実施中に獲得した暫定的なインセンティブである暫定インセンティブを算出するインセンティブ算出部と、
前記インセンティブ算出部が算出した前記暫定インセンティブを、表示画面に表示する表示制御部と、して機能させるためのコンピュータプログラム。
【発明の詳細な説明】
【技術分野】
【０００１】
本発明は、制御装置、制御方法およびコンピュータプログラムに関し、特に、需要家の電力機器を制御する当該需要家に設置された制御装置、制御方法およびコンピュータプログラムに関する。
【背景技術】
【０００２】
電力需給が逼迫し、需要家による需要電力量が、電力会社からの供給電力量を上回ることが予想される場合には、電力会社は、アグリゲータを介して、デマンドレスポンス（Demand Response）（以下、「ＤＲ」と言う。）を需要家に発行する。このＤＲに応答して、需要家が電力を削減することにより、需要家は、アグリゲータを介して電力会社から金銭報酬などのインセンティブを得ることができる。
【０００３】
このようなＤＲの制御結果を提示する装置として、獲得したインセンティブを表示することのできるデマンドレスポンス制御結果提示装置が提案されている（例えば、特許文献１参照）。
【０００４】
デマンドレスポンス制御結果提示装置は、ＤＲの制御結果と獲得したインセンティブとをアグリゲータまたは電力会社に設置された電力管理装置から取得し、取得した制御結果およびインセンティブを表示画面にする。
【先行技術文献】
【特許文献】
【０００５】
【特許文献１】特開２０１６−１７７６５７号公報
【発明の概要】
【発明が解決しようとする課題】
【０００６】
しかしながら、従来のデマンドレスポンス制御結果提示装置は、ＤＲの制御結果やインセンティブを電力管理装置から取得して表示するものである。このため、需要家であるユーザは、ＤＲの途中経過をリアルタイムで把握することができない。
【０００７】
また、電力管理装置と需要家に設置された装置との間の通信が遮断された場合や、そもそも電力管理装置から制御結果やインセンティブの提供を受けることができない場合などには、ＤＲの制御結果やインセンティブすら表示することができない。
【０００８】
本発明は、このような事情に鑑みてなされたものであり、ユーザがＤＲの途中経過をリアルタイムで把握することのできる制御装置、制御方法およびコンピュータプログラムを提供することを目的とする。
【課題を解決するための手段】
【０００９】
（１）上記目的を達成するために、本発明の一実施態様に係る制御装置は、需要家の電力機器を制御する、当該需要家に設置された制御装置であって、前記需要家における発電量および受電量の少なくとも一方を示す電力量を取得する電力量取得部と、前記電力量取得部が取得した前記電力量と、デマンドレスポンスに対して前記需要家が獲得するインセンティブの条件とに基づいて、前記デマンドレスポンス実施中に獲得した暫定的なインセンティブである暫定インセンティブを算出するインセンティブ算出部と、前記インセンティブ算出部が算出した前記暫定インセンティブを、表示画面に表示する表示制御部と、を備える。
【００１０】
（６）本発明の他の実施態様に係る制御方法は、需要家の電力機器を制御する、当該需要家に設置された制御装置による制御方法であって、前記需要家における発電量および受電量の少なくとも一方を示す電力量を取得するステップと、取得された前記電力量と、デマンドレスポンスに対して前記需要家が獲得するインセンティブの条件とに基づいて、前記デマンドレスポンス実施中に獲得した暫定的なインセンティブである暫定インセンティブを算出するステップと、算出された前記暫定インセンティブを、表示画面に表示するステップと、を含む。
【００１１】
（７）本発明の他の実施態様に係るコンピュータプログラムは、コンピュータを、需要家の電力機器を制御する、当該需要家に設置された制御装置として機能させるためのコンピュータプログラムであって、前記コンピュータを、前記需要家における発電量および受電量の少なくとも一方を示す電力量を取得する電力量取得部と、前記電力量取得部が取得した前記電力量と、デマンドレスポンスに対して前記需要家が獲得するインセンティブの条件とに基づいて、前記デマンドレスポンス実施中に獲得した暫定的なインセンティブである暫定インセンティブを算出するインセンティブ算出部と、前記インセンティブ算出部が算出した前記暫定インセンティブを、表示画面に表示する表示制御部と、して機能させる。
【００１２】
本発明は、制御装置の一部又は全部を実現する半導体集積回路として実現したり、制御装置を含むシステムとして実現したりすることもできる。
【発明の効果】
【００１３】
本発明によると、ＤＲの途中経過をリアルタイムで把握することができる。
【図面の簡単な説明】
【００１４】
【図１】デマンドレスポンスについて説明するための図である。
【図２】電力会社、アグリゲータおよび需要家に設置される設備について説明するための図である。
【図３】エネルギー管理装置の構成を示すブロック図である。
【図４】エネルギー管理装置が実行する暫定インセンティブおよび暫定達成率の表示処理を示すフローチャートである。
【図５】表示処理（図４のステップＳ７）で表示される、暫定インセンティブおよび暫定達成率を示したデマンドレスポンス監視画面の一例を示す図である。
【図６】表示処理（図４のステップＳ７）で表示される、暫定インセンティブおよび暫定達成率を示したデマンドレスポンス監視画面の他の一例を示す図である。
【図７】エネルギー管理装置の表示制御部が表示装置の表示画面に表示するデマンドレスポンス結果確認画面の一例を示す図である。
【発明を実施するための形態】
【００１５】
［本願発明の実施形態の概要］
最初に本発明の実施形態の概要を列記して説明する。
（１）本発明の一実施形態に係る制御装置は、需要家の電力機器を制御する、当該需要家に設置された制御装置であって、前記需要家における発電量および受電量の少なくとも一方を示す電力量を取得する電力量取得部と、前記電力量取得部が取得した前記電力量と、デマンドレスポンスに対して前記需要家が獲得するインセンティブの条件とに基づいて、前記デマンドレスポンス実施中に獲得した暫定的なインセンティブである暫定インセンティブを算出するインセンティブ算出部と、前記インセンティブ算出部が算出した前記暫定インセンティブを、表示画面に表示する表示制御部と、を備える。
【００１６】
この構成によると、需要家に設置された制御装置が、需要家における電力量とデマンドレスポンスに対して需要家が獲得するインセンティブの条件とに基づいて、暫定インセンティブを算出し、算出した暫定インセンティブを表示画面に表示することができる。暫定インセンティブは、制御装置が算出することができる。このため、ユーザは、ＤＲの途中経過をリアルタイムで把握することができる。
【００１７】
（２）好ましくは、前記表示制御部は、前記デマンドレスポンスの開始から当該デマンドレスポンス実施途中の現時点までに獲得したインセンティブの時間的な推移を、前記表示画面に表示する。
【００１８】
この構成によると、ユーザは、インセンティブの時間的な推移を把握することができる。これにより、ユーザは、これまでに獲得したインセンティブを把握することができる。このため、獲得したインセンティブが少ないユーザに対して電力削減の動機づけを与えることができる。
【００１９】
（３）また、前記インセンティブ算出部は、さらに、前記電力量取得部が取得した前記電力量に基づいて、前記デマンドレスポンスで要請される削減電力についての暫定的な達成率を算出し、前記表示制御部は、さらに、前記インセンティブ算出部が算出した前記達成率を、前記表示画面に表示してもよい。
【００２０】
この構成によると、ユーザは、デマンドレスポンスで要請される削減電力についての達成率をリアルタイムで知ることができる。このため、達成率が低いユーザに対して、さらなる電力削減の動機づけを与えることができる。
【００２１】
（４）また、上述の制御装置は、さらに、前記インセンティブの条件を記憶している記憶部を備え、前記インセンティブ算出部は、前記電力量取得部が取得した前記電力量と、前記記憶部に記憶されている前記条件とに基づいて、前記暫定インセンティブを算出してもよい。
【００２２】
この構成によると、インセンティブの条件が事前に記憶部に記憶されている。このため、アグリゲータまたは電力会社に設置された装置との通信を行うことができない場合であっても、暫定インセンティブをリアルタイムで算出することができる。
【００２３】
（５）また、前記インセンティブ算出部は、さらに、実施済みのデマンドレスポンスにおいて獲得済みのインセンティブの統計値を算出し、前記表示制御部は、さらに、前記インセンティブ算出部が算出した前記統計値を、前記表示画面に表示してもよい。
【００２４】
この構成によると、制御装置が、獲得済みのインセンティブの統計値を算出して、算出した統計値を表示画面に表示することができる。このため、アグリゲータまたは電力会社に設置された装置から、このような統計値が得られない場合であっても、ユーザに、当該統計値を提供することができる。これにより、ユーザは、曜日ごとの獲得インセンティブの傾向を把握するなどの様々な分析を行うことができる。
【００２５】
（６）本発明の他の実施形態に係る制御方法は、需要家の電力機器を制御する、当該需要家に設置された制御装置による制御方法であって、前記需要家における発電量および受電量の少なくとも一方を示す電力量を取得するステップと、取得された前記電力量と、デマンドレスポンスに対して前記需要家が獲得するインセンティブの条件とに基づいて、前記デマンドレスポンス実施中に獲得した暫定的なインセンティブである暫定インセンティブを算出するステップと、算出された前記暫定インセンティブを、表示画面に表示するステップと、を含む。
【００２６】
この制御方法は、上述の制御装置が備える特徴的な処理部に対応するステップを構成として含む。このため、上述の制御装置と同様の作用および効果を奏することができる。
【００２７】
（７）本発明の他の実施形態に係るコンピュータプログラムは、コンピュータを、需要家の電力機器を制御する、当該需要家に設置された制御装置として機能させるためのコンピュータプログラムであって、前記コンピュータを、前記需要家における発電量および受電量の少なくとも一方を示す電力量を取得する電力量取得部と、前記電力量取得部が取得した前記電力量と、デマンドレスポンスに対して前記需要家が獲得するインセンティブの条件とに基づいて、前記デマンドレスポンス実施中に獲得した暫定的なインセンティブである暫定インセンティブを算出するインセンティブ算出部と、前記インセンティブ算出部が算出した前記暫定インセンティブを、表示画面に表示する表示制御部と、して機能させる。
【００２８】
この構成によると、コンピュータを上述の制御装置として機能させることができる。このため、上述の制御装置と同様の作用および効果を奏することができる。
【００２９】
［本願発明の実施形態の詳細］
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置および接続形態、ステップ、ステップの順序などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００３０】
［デマンドレスポンス（ＤＲ）について］
図１は、デマンドレスポンスについて説明するための図である。
【００３１】
図１に示すように、電力需給の逼迫時には、電力会社１がアグリゲータ２に対してＤＲを発行することにより、電力の削減要請を行う。ＤＲでは、ＤＲの実施時間と、要請する削減電力とがアグリゲータ２に通知される。
【００３２】
アグリゲータ２は、電力会社１が発行したＤＲに応答して、アグリゲータ２が管理する需要家３（需要家ＡおよびＢなど）に対して、ＤＲを発行する。つまり、電力会社１が要請する削減電力を複数の需要家３に分配して、需要家３ごとにＤＲを発行する。なお、需要家３がＤＲに参加する際の削減電力は契約で予め定められているものとする。この契約は、需要家３とアグリゲータ２との間、または需要家３と電力会社１との間で結ばれる。以下では、契約で定められた削減電力のことを「契約削減電力」という。契約削減電力は、契約により、ＤＲ実施時間にベースライン電力を基準として削減を要請される電力のことである。
【００３３】
需要家３は、アグリゲータ２が発行したＤＲに応答して、ＤＲの実施時間において、エアコンなどの電力を消費する機器を停止させたり、ガス発電機などの内燃力発電機により発電を行ったりすることにより、電力系統からの受電電力の削減を行う。需要家３は、削減した受電電力（以下、「削減電力」という。）をアグリゲータ２に通知する。
【００３４】
アグリゲータ２は、複数の需要家３の削減電力を集計し、削減電力の合計値を電力会社１に通知する。
【００３５】
電力会社１は、アグリゲータ２から削減電力の合計値の通知を受け、通知された削減電力の合計値と要請した削減電力とに基づいてインセンティブ（報酬）を決定し、決定したインセンティブをアグリゲータ２に支払う。例えば、電力会社１は、削減電力の合計値が要請した削減電力を上回っている場合に、基本インセンティブと、削減電力の合計値に比例した従量インセンティブとをアグリゲータ２に支払うようにしてもよい。
【００３６】
アグリゲータ２は、電力会社１から支払われたインセンティブの一部をアグリゲータ２のインセンティブとして受け取り、残りのインセンティブを需要家３に分配する。アグリゲータ２が需要家３に支払うインセンティブは、例えば、式１に示す従量インセンティブにより算出されてもよい。
従量インセンティブ＝ＤＲ実施時間におけるベースライン電力からの削減電力量［ｋＷｈ］×単価Ａ［円／ｋＷｈ］                                  …（式１）
【００３７】
従量インセンティブは、ＤＲ実施時間において実際に削減した受電電力に比例して支払われるインセンティブである。ＤＲ実施時間におけるベースライン電力からの削減電力量は、ＤＲ実施時間において、ＤＲ実施時間におけるベースライン電力からの削減電力を積分することにより算出される。
【００３８】
また、アグリゲータ２が需要家３に支払うインセンティブは、例えば、式２に示す基本インセンティブにより算出されてもよい。
基本インセンティブ＝契約削減電力［ｋＷ］×単価Ｂ［円／ｋＷ］    …（式２）
【００３９】
基本インセンティブは、ＤＲの成功条件を満たした場合に支払われるインセンティブである。例えば、ＤＲ実施時間において契約削減電力の７０％以上の受電電力を削減することをＤＲの成功条件とした場合には、ＤＲ実施時間において契約削減電力の７０％以上の受電電力を削減した需要家３に対して、基本インセンティブが支払われる。
【００４０】
なお、例えば、ＤＲの開始から最初の１０分間において、契約削減電力の７０％以上の受電電力を削減した場合には、基本インセンティブの他に、例えば、式３に示すボーナスインセンティブを支払ってもよい。
ボーナスインセンティブ＝契約削減電力［ｋＷ］×単価Ｃ［円／ｋＷ］…（式３）
【００４１】
ＤＲの成功条件を満たすことができなかった需要家３は、アグリゲータ２から基本インセンティブおよび従量インセンティブのいずれも支払いを受けることができないとしてもよいし、当該需要家３は、アグリゲータ２に対して金銭などのペナルティを支払うようにしてもよい。
【００４２】
また、ＤＲの成功条件を満たした需要家３は、アグリゲータ２から基本インセンティブおよび従量インセンティブの両方の支払いを受けることができるとしてもよい。
【００４３】
［需要家の設置設備について］
図２は、電力会社、アグリゲータおよび需要家に設置される設備について説明するための図である。
【００４４】
図２に示すように、電力会社１には、発電電力の監視等を行い、電力削減要請のためのＤＲを発行するか否かを管理するためのサーバ１０が設置されている。
【００４５】
アグリゲータ２には、電力会社１のサーバ１０からのＤＲに応答して、需要家３に対してＤＲを発行するサーバ２０が設置されている。
【００４６】
需要家３には、需要設備７０と、発電設備６０と、エネルギー管理装置３０とが備えられている。
【００４７】
需要設備７０は、電力会社１または発電設備６０から電力を受電し、受電電力を消費するための工場７１と、電力会社１からの受電電力を計測する需要家の受電メータ７２とを含む。工場７１には、受電電力を消費する生産設備やエアコンなどの各種設備が備えられている。なお、受電電力を消費するための設備は工場７１には限定されず、ビル、マンション、家屋などであってもよい。
【００４８】
発電設備６０は、電力を発電し、発電電力を需要設備７０に供給する設備であり、蓄電池６１と、太陽光発電機６２と、内燃力発電機６３と、計装盤６４とを含む。
【００４９】
蓄電池６１は、太陽光発電機６２または内燃力発電機６３の発電電力を一時的に蓄える電池であり、例えば、鉛蓄電池、ナトリウム・硫黄電池、レドックスフロー電池、ニッケル・水素電池、リチウムイオン電池などである。
【００５０】
太陽光発電機６２は、太陽電池を含んで構成され、再生可能エネルギーである太陽光を、太陽電池を用いて電力に変換する。なお、太陽光発電機６２の代わりに、または太陽光発電機６２とともに、他の再生可能エネルギーを利用した発電機を利用することができる。他の再生可能エネルギーを利用した発電機は、例えば、風力、波力、潮力、地熱、バイオマス等を利用して発電を行う発電機を含む。
【００５１】
内燃力発電機６３は、例えば、ガスやディーゼル油などの燃焼エネルギーを電気エネルギーに変換する発電機を含む。
【００５２】
計装盤６４は、蓄電池６１における充放電電力、太陽光発電機６２または内燃力発電機６３による発電電力を監視する。
【００５３】
エネルギー管理装置３０は、アグリゲータ２のサーバ２０が発行するＤＲを受信する。また、エネルギー管理装置３０は、発電設備６０の計装盤６４から、発電設備６０における発電電力（以下、「発電量」という。）を受信する。さらに、エネルギー管理装置３０は、需要設備７０の需要家の受電メータ７２から、工場７１が電力会社１から受電する電力（以下、「受電量」という。）を受信する。エネルギー管理装置３０は、受信した発電量および受電量と、ＤＲに対して需要家３が獲得するインセンティブの条件とに基づいて、ＤＲ実施中に獲得した暫定的なインセンティブ（以下、「暫定インセンティブ」という。）を算出する。エネルギー管理装置３０は、算出した暫定インセンティブを、表示装置５２の表示画面に表示する。
【００５４】
なお、エネルギー管理装置３０は、暫定インセンティブを算出する機能の他に、発電設備６０および需要設備７０の運転を制御するＥＭＳ（Energy Management System）サーバの機能を備えているのが望ましい。
【００５５】
図３は、エネルギー管理装置３０の構成を示すブロック図である。
エネルギー管理装置３０は、通信Ｉ／Ｆ部３１と、削減要請受付部３２と、入力受付部３３と、需要予測部３４と、制御計画作成部３５と、電力機器制御部３６と、電力量取得部３７と、インセンティブ算出部３８と、表示制御部３９と、記憶装置４０とを備える。
【００５６】
通信Ｉ／Ｆ部３１は、サーバ２０、計装盤６４および需要家の受電メータ７２と通信を行うための通信インタフェースである。通信Ｉ／Ｆ部３１は、例えば、有線ＬＡＮアダプタや無線ＬＡＮアダプタなどを含んで構成される。
【００５７】
削減要請受付部３２は、通信Ｉ／Ｆ部３１を介して、サーバ２０から、ＤＲの要請を受け付ける。
【００５８】
入力受付部３３は、ユーザによるキーボード５１等の操作入力を受け付ける。
【００５９】
需要予測部３４は、計装盤６４から、発電設備６０における発電量の実績値を収集する。つまり、需要予測部３４は、計装盤６４から、蓄電池６１の充放電電力の実績値と、太陽光発電機６２の発電電力の実績値と、内燃力発電機６３の発電電力の実績値とを取得する。また、需要予測部３４は、需要家の受電メータ７２から、工場７１の電力会社１からの受電量の実績値を取得する。需要予測部３４は、取得した発電量および受電量の実績値に基づいて、需要設備７０における電力需要の予測値である需要予測値を算出する。需要予測値の算出方法は、本願の主眼ではなく、公知の技術を用いることができる。このため、その詳細な説明は省略する。例えば、過去の曜日ごとの電力需要の実績値を天候データなどに基づいて補正することにより、需要予測値を算出してもよい。需要予測部３４は、算出した需要予測値を記憶装置４０に記憶させる。
【００６０】
なお、需要予測値が予め記憶装置４０に記憶されている場合には、需要予測部３４は、記憶装置４０から需要予測値を読み出すことにより、需要予測値を取得してもよい。
【００６１】
制御計画作成部３５は、需要予測部３４が算出または取得した需要予測値に基づいて、所定の制約条件（各電力機器６１〜６３の入出力電力に関する制約条件、燃費に関する制約条件、需給バランスに関する制約条件、電気料金やガス料金に関する制約条件など）の下で予め定められた目的関数を最適化することにより、時間ステップ（ｔ）ごとの制御計画を作成する。
【００６２】
電力機器制御部３６は、制御計画作成部３５が作成した制御計画に基づいて、通信Ｉ／Ｆ部３１を介して各電力機器６１〜６３または計装盤６４に指示を送信することにより、各電力機器６１〜６３を制御する。
【００６３】
電力量取得部３７は、通信Ｉ／Ｆ部３１を介して、計装盤６４から、発電設備６０における発電量を取得する。また、電力量取得部３７は、需要設備７０に設置された需要家の受電メータ７２から、工場７１が電力会社１から受電する受電量を取得する。
【００６４】
インセンティブ算出部３８は、電力量取得部３７が取得した発電量および受電量と、ＤＲに対して需要家３が獲得するインセンティブの条件とに基づいて、ＤＲ実施中に獲得した暫定インセンティブを算出する。ここで、インセンティブの条件は、予め記憶装置４０に記憶されているものとする。
【００６５】
例えば、記憶装置４０には、インセンティブの条件として、以下の条件１〜３のいずれかが記憶されているものとする。
＜条件１＞
従量インセンティブ（式１）を支払う。
＜条件２＞
ＤＲの成功条件（ＤＲ実施時間において契約削減電力の７０％以上の受電電力を削減すること）を満たした場合に、基本インセンティブ（式２）を支払う。
＜条件３＞
条件２に加え、ＤＲの開始から最初の１０分間において、契約削減電力の７０％以上の受電電力を削減した場合には、ボーナスインセンティブ（式３）を支払う。
【００６６】
ただし、インセンティブの条件はこれらに限定されるものではない。たとえば、発電設備６０において発電を行った場合に、発電量に対してインセンティブを支払うものとしてもよい。
【００６７】
インセンティブ算出部３８は、さらに、電力量取得部３７が取得した発電量および受電量に基づいて、ＤＲで要請される削減電力についての暫定的な達成率（以下、「暫定達成率」という。）を算出する。
【００６８】
たとえば、インセンティブ算出部３８は、以下の式４に従い暫定達成率を算出する。
暫定達成率＝（削減電力量の実績値／目標削減電力量）×１００（％）…（式４）
【００６９】
ここで、目標削減電力量は、ＤＲ実施時間において削減電力を積分することにより算出される。また、削減電力量の実績値は、ＤＲ開始から現在までのベースライン電力からの削減電力を積分することにより算出される。
【００７０】
表示制御部３９は、インセンティブ算出部３８が算出した暫定インセンティブおよび暫定達成率を、表示装置５２の表示画面に表示する。表示画面への表示例については後述する。
【００７１】
記憶装置４０は、ＨＤＤ（Hard Disk Drive）、不揮発性メモリまたは揮発性メモリなどから構成され、インセンティブの条件などの各種情報を記憶する。
【００７２】
［暫定インセンティブおよび暫定達成率の表示処理］
図４は、エネルギー管理装置が実行する暫定インセンティブおよび暫定達成率の表示処理を示すフローチャートである。
エネルギー管理装置３０は、ＤＲ実施時間が開始するまで待機する（Ｓ１）。
【００７３】
ＤＲ実施時間が開始すると（Ｓ１でＹＥＳ）、インセンティブ算出部３８は、記憶装置４０から、インセンティブの条件を読み出す（Ｓ２）。たとえば、インセンティブの条件は、上述の条件１と条件２を組み合わせたものであり、条件１の従量インセンティブにおける単価Ａは１０万円／ｋＷｈであるものとする。また、条件２のＤＲ成功時に支払われる基本インセンティブは５００万円であるものとする。
【００７４】
電力量取得部３７は、通信Ｉ／Ｆ部３１を介して、計装盤６４から、発電設備６０における発電量を取得する（Ｓ３）。なお、発電に対するインセンティブが得られない場合には、ステップＳ３の処理を省略してもよい。
【００７５】
電力量取得部３７は、通信Ｉ／Ｆ部３１を介して、需要家の受電メータ７２から、需要設備７０における受電量を取得する（Ｓ４）。
【００７６】
インセンティブ算出部３８は、取得した発電量および受電量に基づいて、暫定インセンティブを算出する（Ｓ５）。たとえば、インセンティブ算出部３８は、式１に従い、ＤＲ開始から現在までの従量インセンティブを算出することにより、暫定インセンティブを算出する。
【００７７】
インセンティブ算出部３８は、取得した発電量および受電量に基づいて、暫定達成率を算出する（Ｓ６）。暫定達成率の算出例は、式４に示した通りである。
【００７８】
表示制御部３９は、算出した暫定インセンティブおよび暫定達成率を表示装置５２の表示画面に表示する（Ｓ７）。
【００７９】
エネルギー管理装置３０は、ＤＲ実施時間が終了するまで、ステップＳ３以降の処理を繰り返し実施する（Ｓ８）。
【００８０】
［表示例について］
図５は、表示処理（図４のステップＳ７）で表示される、暫定インセンティブおよび暫定達成率を示したデマンドレスポンス監視画面の一例を示す図である。
【００８１】
デマンドレスポンス監視画面には、グラフ１００と、欄１０５と、欄１０６と、表１０７とが示される。グラフ１００は、受電電力の時間変化と、暫定インセンティブである暫定獲得金額の時間変化を示す。また、欄１０５には暫定獲得金額が示されており、欄１０６には暫定達成率が示されている。さらに、表１０７には、インセンティブの条件を含むデマンドレスポンスの詳細が示されている。
表１０７に示すように、ＤＲ実施時間は１６：３０から１７：００である。
【００８２】
グラフ１００の横軸は時間を示し、縦軸は電力および金額を示す。ベースライン電力１０３は１２００ｋＷに設定されている。１６：３０から１７：００まで実施されるＤＲで要請される削減電力は３５０ｋＷである。つまり、ＤＲ実施時間における受電電力の目標電力１０２は、８５０ｋＷ（＝１２００ｋＷ−３５０ｋＷ）となる。
【００８３】
暫定獲得金額１０４は、ベースライン電力１０３と受電電力１０１との差を削減電力とした時に、式１に従い算出される従量インセンティブの累積値である。欄１０５にも暫定獲得金額１０４が数値で示されている。
【００８４】
図６は、表示処理（図４のステップＳ７）で表示される、暫定インセンティブおよび暫定達成率を示したデマンドレスポンス監視画面の他の一例を示す図である。
【００８５】
デマンドレスポンス監視画面には、グラフ１００Ａと、欄１０５と、欄１０６と、表１０７とが示される。欄１０５、欄１０６および表１０７は、図５に示したものと同様である。
【００８６】
グラフ１００Ａは、グラフ１００における暫定獲得金額１０４の代わりに暫定達成率１０８を示したものである。これに伴い、グラフ１００Ａの右側の縦軸は金額の代わりに暫定達成率を示している。
【００８７】
ＤＲ実施時間中においては、受電電力１０１と、暫定獲得金額１０４または暫定達成率１０８が時間の経過とともに変化する。このため、ユーザは、これらの時間的な推移を把握することができる。これにより、獲得したインセンティブまたは達成率が低いユーザに対して、電力削減の動機づけを与えることができる。
【００８８】
［実施の形態の効果］
上述の実施の形態によると、需要家に設置されたエネルギー管理装置３０が、需要家における電力量（受電量または発電量）とデマンドレスポンスに対して需要家が獲得するインセンティブの条件とに基づいて、暫定インセンティブを算出し、算出した暫定インセンティブを表示画面に表示することができる。暫定インセンティブは、エネルギー管理装置３０が算出することができる。このため、ユーザは、ＤＲの途中経過をリアルタイムで把握することができる。
【００８９】
なお、インセンティブの条件は事前に記憶装置４０に記憶されている。このため、エネルギー管理装置３０は、アグリゲータ２に設置されたサーバ２０または電力会社１に設置されたサーバ１０との通信を行うことができない場合であっても、暫定インセンティブまたは暫定達成率をリアルタイムで算出することができる。
【００９０】
［変形例１］
上述の実施の形態では、ＤＲに対する暫定インセンティブおよび暫定達成率の時間的な推移を表示する例について説明したが、表示装置５２に表示される情報はこれらに限定されるものではない。
【００９１】
たとえば、本変形例では、実施済みのＤＲにおいて獲得済みのインセンティブの統計値を算出し、算出した統計値を表示装置５２の表示画面に表示する。
【００９２】
図７は、エネルギー管理装置３０の表示制御部３９が表示装置５２の表示画面に表示するデマンドレスポンス結果確認画面の一例を示す図である。
【００９３】
横軸は日付を示し、縦軸は獲得済みのインセンティブである獲得金額を示す。同図には、２０１７年５月１日から２０１７年５月３１日までの各日の獲得金額が示されている。また、右上には、獲得済みのインセンティブの統計値として、２０１７年５月の月間累計獲得金額「１２０００万円」が示されている。月間累計獲得金額は、インセンティブ算出部３８が、５月の各日の獲得金額の合計を算出することにより得られる。
【００９４】
なお、インセンティブ算出部３８が算出する統計値は、獲得金額の合計値に限られるものではなく、例えば、獲得金額の平均値であってもよい。また、対象とする期間は月に限定されるものではなく、週単位で統計値を算出してもよいし、曜日単位で統計値を算出してもよい。
【００９５】
本変形例によると、エネルギー管理装置３０が、獲得済みのインセンティブの統計値を算出して、算出した統計値を表示装置５２に表示することができる。このため、エネルギー管理装置３０は、アグリゲータ２に設置されたサーバ２０または電力会社１に設置されたサーバ１０から、このような統計値を取得できない場合であっても、ユーザに、当該統計値を提供することができる。これにより、ユーザは、月ごと、日ごと、曜日ごとの獲得インセンティブの傾向を把握するなどの様々な分析を行うことができる。
【００９６】
また、上記のエネルギー管理装置３０は、具体的には、マイクロプロセッサ、ＲＯＭ（Read Only Memory）、ＲＡＭ（Random Access Memory）、ＨＤＤ（Hard Disk Drive）、ディスプレイユニット、キーボード、マウスなどから構成されるコンピュータシステムとして構成されてもよい。ＲＡＭまたはＨＤＤには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００９７】
さらに、上記のエネルギー管理装置３０を構成する構成要素の一部または全部は、１個のシステムＬＳＩから構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【００９８】
また、本発明は、上記に示す方法であるとしてもよい。また、本発明は、これらの方法をコンピュータにより実現するコンピュータプログラムであるとしてもよい。
【００９９】
さらに、本発明は、上記コンピュータプログラムをコンピュータ読取可能な非一時的な記録媒体、例えば、ＨＤＤ、ＣＤ−ＲＯＭ、半導体メモリなどに記録したものとしてもよい。
【０１００】
また、本発明は、上記コンピュータプログラムを、電気通信回線、無線または有線通信回線、インターネットを代表とするネットワーク、データ放送等を経由して伝送するものとしてもよい。
また、エネルギー管理装置３０は、複数のコンピュータにより実現されてもよい。
【０１０１】
さらに、上記実施の形態および上記変形例の少なくとも一部を任意に組み合わせるとしてもよい。
【０１０２】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【０１０３】
１        電力会社
２        アグリゲータ
３        需要家
１０      サーバ
２０      サーバ
３０      エネルギー管理装置
３１      通信Ｉ／Ｆ部
３２      削減要請受付部
３３      入力受付部
３４      需要予測部
３５      制御計画作成部
３６      電力機器制御部
３７      電力量取得部
３８      インセンティブ算出部
３９      表示制御部
４０      記憶装置
５１      キーボード
５２      表示装置
６０      発電設備
６１      蓄電池
６２      太陽光発電機
６３      内燃力発電機
６４      計装盤
７０      需要設備
７１      工場
７２      需要家の受電メータ
１００    グラフ
１００Ａ  グラフ
１０１    受電電力
１０２    目標電力
１０３    ベースライン電力
１０４    暫定獲得金額
１０５    欄
１０６    欄
１０７    表
１０８    暫定達成率
【図１】
2019159628.tif 000003
【図２】
2019159628.tif 000004
【図３】
2019159628.tif 000005
【図４】
2019159628.tif 000006
【図５】
2019159628.tif 000007
【図６】
2019159628.tif 000008
【図７】
2019159628.tif 000009